(57)【特許請求の範囲】
【請求項１】
遊技領域を有する遊技盤を前面枠に着脱自在に装着した遊技機において、
前記遊技盤の後方位置であって前記前面枠の裏面に、表示ゲームを表示するための表示ユニットを配設した裏機構枠を設け、
前記表示ユニットは、
当該表示ユニットを前記裏機構枠に配設するためのベース部材と、
前記表示ゲームを表示する画像表示面を有し、前記ベース部材の遊技盤と対向する前面側に形成された収容部に着脱可能に取り付けられた画像表示器と、
前記収容部よりも小さい前記画像表示器を前記収容部の適正位置に固定するための固定手段と、
を備え、
前記固定手段は、前記収容部にちょうど収まる形状を有するとともに、前記画像表示器を収容可能な画像表示器収容部を備える枠状に形成され、
前記表示ユニットは、
前記収容部よりも小さい前記画像表示器を前記画像表示器収容部に収容した前記固定手段若しくは前記収容部にちょうど収まる大きさの前記画像表示器を前記収容部に配設可能であるとともに、前記画像表示器の前側を覆う透明な前面クリアカバーを備え、該前面クリアカバーを透して前記画像表示面の表示を視認可能に構成され、
前記固定手段の外周部の四隅に第１取付片を形成し、
前記前面クリアカバーの外周部の四隅に、前記第１取付片の前側に重なる第２取付片を有する前面クリアカバー固定部材を配するとともに、前記ベース部材の外周部の四隅に、前記第１取付片の後側に重なる第３取付片を形成し、
各隅部に、前記第１取付片、前記第２取付片及び前記第３取付片を重ねた状態で保持する保持部材を備えるとともに、前記保持部材が前記裏機構枠に支持されるようにしたことを特徴とする遊技機。
【請求項２】
前記ベース部材を導電性の材質で構成したことを特徴とする請求項１に記載の遊技機。
【請求項３】
前記画像表示器は、
当該画像表示器の外周面を形成するケース部材と、
前記ケース部材に収容され、前記画像表示面を有する液晶パネルと、を備え、
前記ケース部材の一側面に形成された窓部から、前記液晶パネルの前記画像表示面が外部に露出するように構成され、
前記前面クリアカバー及び前記ケース部材を導電性の材質で構成するとともに前記前面クリアカバーと前記ケース部材との間に導電性を有する接続部材を配設して、前記前面クリアカバーと前記ケース部材とを前記接続部材を介して電気的に接続するようにしたことを特徴とする請求項２に記載の遊技機。
【請求項４】
前記裏機構枠は、前側に開口した凹室状の表示ユニット収納部を備え、該表示ユニット収納部に前記表示ユニットを収納することで、前記前面枠における前記遊技盤の後方位置であって該遊技盤と所定間隔を設けた状態で前記表示ユニットを配設可能とし、
前記裏機構枠における前記表示ユニット収納部の上部に、ファンにより前記表示ユニット収納部内の換気を行う換気装置により前記表示ユニット収納部の内部の熱を外部に放出する放熱手段を設け、
前記表示ユニットは、
前記接続部材が前記窓部の周縁に沿って配設されて前記前面クリアカバーと前記画像表示器の間に空隙が形成され、
前記窓部の上側の位置に、前記空隙と外部とが連通する連通部を少なくとも２ヶ所形成し、該連通部の一つが前記ファンの下方に位置するようにしたことを特徴とする請求項３に記載の遊技機。
【発明の詳細な説明】
【技術分野】
【０００１】
本発明は、遊技領域を有する遊技盤を前面枠に着脱自在に装着した遊技機に関する。
【背景技術】
【０００２】
従来、遊技領域を有する遊技盤を本体枠（前面枠）に着脱自在に装着するようにした遊技機が知られている。遊技盤には複数の識別情報を変動表示可能な画像表示器（表示ユニット）が備えられ各機種固有の画像を表示し、また、遊技盤には各機種固有の装飾部材やセル板が設けられている。最近では、画像表示器として液晶表示装置等を設けることが増えている。そして、遊技機の機種を変更する際には、遊技機全体を交換せずに、遊技盤のみを交換することも可能であるが、従来の遊技機の場合には、遊技盤に画像表示器が取り付けられていることから、遊技盤の交換の際には比較的高価な画像表示器も交換することとなっている。
【０００３】
また、変動表示装置を本体枠側に配設して遊技盤と変動表示装置（液晶表示器）を別構成にすることで、遊技盤を交換する際でも、変動表示装置をそのまま本体枠側に残せるようにした遊技機も考えられている（例えば、特許文献１参照）。
【特許文献１】特開２００３−３２００９４号公報
【発明の開示】
【発明が解決しようとする課題】
【０００４】
しかしながら、遊技盤の表示用窓部は機種毎にその位置が変化したり、また、機種毎に表示部のうち表示窓部に臨ませる領域が変化したりすることとなるが、それに対して変動表示装置が本体枠に固定されて取り付けられてしまうと、表示用窓部の位置が大きく変化したような遊技機の場合に、その表示用窓部に対応して予め設定されている表示部の一部を表示用窓部に臨ませることが困難となってしまう。また、木製等の遊技盤の一部に表示用窓部を形成した遊技盤を用いる場合は、その窓部に対応した部分だけ画像表示器が配されていれば良く、必要以上に大型の画像表示器を配することは無駄である。
【０００５】
本発明の目的は、遊技領域を有する遊技盤を前面枠に着脱自在に装着した遊技機において、画像表示器の画面サイズや形状、配置位置の変更を容易にすることである。
【課題を解決するための手段】
【０００６】
以上の課題を解決するため、請求項１に記載の発明は、
遊技領域を有する遊技盤を前面枠に着脱自在に装着した遊技機において、
前記遊技盤の後方位置であって前記前面枠の裏面に、表示ゲームを表示するための表示ユニットを配設した裏機構枠を設け、
前記表示ユニットは、
当該表示ユニットを前記裏機構枠に配設するためのベース部材と、
前記表示ゲームを表示する画像表示面を有し、前記ベース部材の遊技盤と対向する前面側に形成された収容部に着脱可能に取り付けられた画像表示器と、
前記収容部よりも小さい前記画像表示器を前記収容部の適正位置に固定するための固定手段と、
を備え、
前記固定手段は、前記収容部にちょうど収まる形状を有するとともに、前記画像表示器を収容可能な画像表示器収容部を備える枠状に形成され、
前記表示ユニットは、
前記収容部よりも小さい前記画像表示器を前記画像表示器収容部に収容した前記固定手段若しくは前記収容部にちょうど収まる大きさの前記画像表示器を前記収容部に配設可能であるとともに、前記画像表示器の前側を覆う透明な前面クリアカバーを備え、該前面クリアカバーを透して前記画像表示面の表示を視認可能に構成され、
前記固定手段の外周部の四隅に第１取付片を形成し、
前記前面クリアカバーの外周部の四隅に、前記第１取付片の前側に重なる第２取付片を有する前面クリアカバー固定部材を配するとともに、前記ベース部材の外周部の四隅に、前記第１取付片の後側に重なる第３取付片を形成し、
各隅部に、前記第１取付片、前記第２取付片及び前記第３取付片を重ねた状態で保持する保持部材を備えるとともに、前記保持部材が前記裏機構枠に支持されるようにしたことを特徴とする。
【０００７】
ここで、「画像表示器」は、例えば、液晶表示器、ＥＬ表示器である。
【０００８】
請求項１に記載の発明によれば、表示ユニットは、当該表示ユニットを裏機構枠に配設するためのベース部材と、表示ゲームを表示する画像表示面を有し、ベース部材の遊技盤と対向する前面側に形成された収容部に着脱可能に取り付けられた画像表示器と、収容部よりも小さい画像表示器を収容部の適正位置に固定するための固定手段と、を備えるので、画像表示器の画面サイズや形状、配置位置の変更が容易になる。すなわち、固定手段を交換すれば画像表示器を再利用でき、さらに、遊技盤に形成された表示用の開口部に対応した位置に、該開口部に対応した大きさの画像表示器を配設することができるので必要最低限の大きさの画像表示器で足り、遊技機のコストを低減することができる。
【００１０】
また、表示ユニットは、収容部よりも小さい画像表示器を画像表示器収容部に収容した固定手段若しくは収容部にちょうど収まる大きさの画像表示器を収容部に配設可能であるので、固定手段の交換若しくは不使用により多種の遊技機に対応できる。例えば、不透明な遊技盤の一部に表示用の開口部を形成したものには、該開口部に対応した大きさの画像表示器を用い、透明合成樹脂製の遊技盤を用いて遊技盤裏面全体に画像を表示するようにしたものには、大型の画像表示器を用いるようにすることができ、不必要に大きな画像表示器を用いることがないので遊技機のコストを低減することができる。
【００１２】
また、各隅部に、第１取付片、第２取付片及び第３取付片を重ねた状態で保持する保持部材を備えるので、保持部材を取り外すことで画像表示器や固定手段を簡単に交換でき、作業の効率が向上する。また、四隅に設けた保持部材が裏機構枠に支持されるようにしたので、表示ユニットが裏機構枠に安定して支持されるようになる。
【００１３】
請求項２に記載の発明は、請求項１に記載の遊技機であって、
前記ベース部材を導電性の材質で構成したことを特徴とする。
【００１４】
ここで、「導電性の材質」とは、金属（例えば、アルミニウムやその合金、鉄）や導電性樹脂などである。
【００１５】
請求項２に記載の発明によれば、ベース部材を導電性の材質で構成したので、画像表示器から発生するノイズを遮蔽でき、遊技機に設けられた他の装置に影響することがない。
また、例えば、導電性の材質として、アルミニウムやその合金を用いれば、表示ユニットの強度向上及び軽量化を図れる。
【００１６】
請求項３に記載の発明は、請求項２に記載の遊技機であって、
前記画像表示器は、
当該画像表示器の外周面を形成するケース部材と、
前記ケース部材に収容され、前記画像表示面を有する液晶パネルと、を備え、
前記ケース部材の一側面に形成された窓部から、前記液晶パネルの前記画像表示面が外部に露出するように構成され、
前記前面クリアカバー及び前記ケース部材を導電性の材質で構成するとともに前記前面クリアカバーと前記ケース部材との間に導電性を有する接続部材を配設して、前記前面クリアカバーと前記ケース部材とを前記接続部材を介して電気的に接続するようにしたことを特徴とする。
【００１７】
ここで、「前面クリアカバー」は透明性を有し、かつ、導電性を有する材質で構成したものや、ガラスや透明合成樹脂の表面に透明な導電性の膜を有するものなどである。
また、「ケース部材」は、例えば、金属（例えば、アルミニウムやその合金、鉄）や導電性樹脂で構成したものである。
また、「接続部材」は、例えば、金属製のばね、導電性のゴムやプラスチック、電子機器のＥＭＩ（電磁妨害）対策に用いられる導電性のガスケットを用いることができる。
【００１８】
請求項３に記載の発明によれば、前面クリアカバーとケース部材との間に導電性を有する接続部材を配設したので、前面クリアカバーとケース部材や画像表示面との間に一定の間隔を確保でき、前面クリアカバーが熱により変形したり、ケース部材や画像表示面に張り付いたりすることがなく、表示画像が歪むことを防止できる。また、交換時に支障が出ることがない。また、前面クリアカバー及びケース部材を導電性の材質で構成するとともに前面クリアカバーとケース部材との間に導電性を有する接続部材を配設して、前面クリアカバーとケース部材とを接続部材を介して電気的に接続するようにしたので、前面クリアカバーの静電気を除去でき、前面クリアカバーが画像表示面に張り付いたり、埃等で汚れてしまったりすることを防止できる。
【００１９】
請求項４に記載の発明は、請求項３に記載の遊技機であって、
前記裏機構枠は、前側に開口した凹室状の表示ユニット収納部を備え、該表示ユニット収納部に前記表示ユニットを収納することで、前記前面枠における前記遊技盤の後方位置であって該遊技盤と所定間隔を設けた状態で前記表示ユニットを配設可能とし、
前記裏機構枠における前記表示ユニット収納部の上部に、ファンにより前記表示ユニット収納部内の換気を行う換気装置により前記表示ユニット収納部の内部の熱を外部に放出する放熱手段を設け、
前記表示ユニットは、
前記接続部材が前記窓部の周縁に沿って配設されて前記前面クリアカバーと前記画像表示器の間に空隙が形成され、
前記窓部の上側の位置に、前記空隙と外部とが連通する連通部を少なくとも２ヶ所形成し、該連通部の一つが前記ファンの下方に位置するようにしたことを特徴とする。
【００２０】
ここで、「換気装置」は、例えば、ファンにより表示ユニット収納部内の空気を排気するか、逆に外部の空気を表示ユニット収納部内に送り込むことで表示ユニット収納部内の換気を行うものである。
【００２１】
請求項４に記載の発明によれば、表示ユニットは、接続部材が窓部の周縁に沿って配設されて前面クリアカバーと画像表示器の間に空隙が形成され、窓部の上側の位置に、空隙と外部とが連通する連通部を少なくとも２ヶ所形成し、該連通部の一つがファンの下方に位置するようにしたので、空隙の換気を効率よく行うことができる。すなわち、ファンにより生じる風により、一方の連通部から他方の連通部へ空気が効率よく流れ、空隙内にこもる熱を効率よく排出できるので、前面クリアカバーが熱により変形したり、ケース部材や画像表示面に張り付いたりすることがなく、画像表示器の交換時に支障が出ることがない。また、連通部を窓部の上側に設けたので、遊技機の下方に溜まった埃などがファンの風で舞い上がって空隙に入ってしまい画像表示面の視認性が低下することを防止できる。
【発明の効果】
【００２２】
本発明によれば、表示ユニットは、当該表示ユニットを裏機構枠に配設するためのベース部材と、表示ゲームを表示する画像表示面を有し、ベース部材の遊技盤と対向する前面側に形成された収容部に着脱可能に取り付けられた画像表示器と、収容部よりも小さい画像表示器を収容部の適正位置に固定するための固定手段と、を備えるので、画像表示器の画面サイズや形状、配置位置の変更が容易になる。すなわち、固定手段を交換すれば画像表示器を再利用でき、さらに、遊技盤に形成された表示用の開口部に対応した位置に、該開口部に対応した大きさの画像表示器を配設することができるので必要最低限の大きさの画像表示器で足り、遊技機のコストを低減することができる。
また、表示ユニットは、収容部よりも小さい画像表示器を画像表示器収容部に収容した固定手段若しくは収容部にちょうど収まる大きさの画像表示器を収容部に配設可能であるので、固定手段の交換若しくは不使用により多種の遊技機に対応できる。例えば、不透明な遊技盤の一部に表示用の開口部を形成したものには、該開口部に対応した大きさの画像表示器を用い、透明合成樹脂製の遊技盤を用いて遊技盤裏面全体に画像を表示するようにしたものには、大型の画像表示器を用いるようにすることができ、不必要に大きな画像表示器を用いることがないので遊技機のコストを低減することができる。
また、各隅部に、第１取付片、第２取付片及び第３取付片を重ねた状態で保持する保持部材を備えるので、保持部材を取り外すことで画像表示器や固定手段を簡単に交換でき、作業の効率が向上する。また、四隅に設けた保持部材が裏機構枠に支持されるようにしたので、表示ユニットが裏機構枠に安定して支持されるようになる。
【発明を実施するための最良の形態】
【００２３】
以下、この発明の実施形態について図面を参照して説明する。
ここでは、本発明にかかる遊技機の適例としてのパチンコ遊技機について図１から図１２を用いて説明を行う。
【００２４】
図１，２に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように表示ユニット１７０を備える裏機構枠１６０の配設を可能としている。
【００２５】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２６】
前面枠本体１３０は、矩形枠状の機枠１１０の前面側をちょうど覆うような概略矩形板状に構成されるとともに、その中央から上端部にわたる部分に、遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２７】
また、前面枠本体１３０の遊技盤１が嵌め込まれた開口部１３１、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁２に囲まれた部分が、遊技球が発射されて流下する遊技領域１ａとされている。
【００２８】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な遊技領域１ａとなる間隔を開けて二重のガラス板１４１が固定されている。そして、クリア部材保持枠１４０において、遊技機１００の前側からガラス板１４１を介して遊技盤１の前面側の少なくとも遊技領域１ａの部分が視認可能となっている。また、クリア部材保持枠１４０の前面であって、ガラス板１４１が固定されて遊技領域１ａを視認可能とする部分の周囲には、枠装飾装置としてのランプやＬＥＤ、音声を出力するスピーカ１４５，１４５などが設けられている。
【００２９】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００３０】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５５が設けられている。また、開閉パネル１５１の下側の下部パネル１５２には、上皿１５３に収容しきれない遊技球を収容する下皿１５４及び灰皿１５８と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００３１】
また、図２に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００３２】
また、前面枠本体１３０の裏面側であって遊技盤１が嵌め込まれた開口部１３１の下方には、賞球の排出や遊技球の発射を制御する排出発射制御装置（図示略）、遊技機１００内の各装置に電力を供給する電源回路としての電源供給装置（図示略）などが取り付けられている。その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３３】
遊技盤１は、各種部材の取付ベースとなる平板状の遊技盤本体１ｂ（木製もしくは合成樹脂製）を備え、該遊技盤本体１ｂの前面に、遊技領域区画壁２で囲まれた遊技領域１ａを有している。また、遊技盤本体１ｂの前面であって遊技領域区画壁２の外側には、前面構成部材３，３，…が取り付けられている。そして、この遊技領域区画壁２で囲まれた遊技領域１ａ内に発射装置から遊技球（打球；遊技媒体）を発射して遊技を行うようになっている。
【００３４】
遊技領域１ａ内には、普図始動ゲート４と、普図変動表示ゲームの未処理回数を表示する普図記憶表示器、普図の変動表示ゲームを表示する普図表示器が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器、特図変動表示ゲームを表示する特図表示器９が設けられている。なお、普図記憶表示器、普図表示器、特図記憶表示器、特図表示器９は、遊技状態を表す遊技状態表示ＬＥＤ１から６と併せて、セグメントＬＥＤ８として一体に設けられている。
【００３５】
さらに遊技領域１ａには、上端側が手前側に倒れる方向に回動して開放可能になっているアタッカ形式の開閉扉１０ａを有し、補助遊技としての特図変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００３６】
普図始動ゲート４内には、該普図始動ゲート４を通過した遊技球を検出するためのゲートＳＷが設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、ＬＥＤを備える普図記憶表示器にて表示されるようになっている。
【００３７】
普図（普通図柄）変動表示ゲームは、セグメントＬＥＤ８に設けられた普図表示器で実行されるようになっている。なお、画像表示面１７１の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図の変動表示ゲームの始動が容易となる。
【００３８】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイドによって、逆「ハ」の字状に開いて普通変動入賞装置７に遊技球が流入し易い状態（遊技者にとって有利な状態）に変化させられるようになっている。
【００３９】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた始動口ＳＷによって遊技球を検出することに基づき、補助遊技としての特図変動表示ゲームを開始する始動権利が発生するようになっている。
【００４０】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００４１】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、セグメントＬＥＤ８に設けられた特図記憶表示器にて表示されるようになっている。
【００４２】
補助遊技としての特図（特別図柄、識別情報）変動表示ゲームは、セグメントＬＥＤ８に設けられた特図表示器９で実行されるようになっており、複数の識別情報を変動表示したのち、所定の結果態様を停止表示することで行われる。また、画像表示面１７１にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示面１７１の表示態様も特別結果態様（例えば、「７，７，７」等のゾロ目数字の何れか）となる。なお、遊技機に特図表示器９を備えずに、画像表示面１７１のみで特図変動表示ゲームを実行するようにしても良い。
【００４３】
また、遊技領域１ａの略中央には、特図変動表示ゲームの表示領域となる表示用窓部２１を形成するセンターケース２０が取り付けられている。このセンターケース２０に形成された表示用窓部２１の後方には、表示ユニット１７０が配されるようになっている。この表示ユニット１７０は、液晶パネル１７５ｂを備える画像表示器１７５を備え、表示内容が変化可能な画像表示面１７１がセンターケース２０の表示用窓部２１を介して遊技盤１の前面側から視認可能となるように配されている。なお、画像表示器１７５は液晶パネル１７５ｂを備えるものに限らず、ＥＬ等のディスプレイを備えるものであっても良い。
【００４４】
変動入賞装置としての特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、例えば、駆動装置としてのソレノイドにより駆動される。また、大入賞口の内部（入賞領域）には、該大入賞口に入った遊技球を検出するカウントＳＷが配設されている。
【００４５】
また、遊技領域１ａに設けられた各一般入賞口１２には、一般入賞口１２に入った遊技球を検出するための入賞口ＳＷが配設されている。そして、遊技を開始することにより遊技領域１ａ内に打ち込まれた遊技球が、一般入賞口１２，１２，…、普通変動入賞装置７、第１始動入賞口１３、特別変動入賞装置１０等の入賞口の何れかに入賞すると、それぞれの入賞口に対応した所定数の賞球が排出装置によって排出される（払い出される）。
【００４６】
また、遊技盤１の裏面側には、機種に依存する演出データ基板、ドライバ基板を備えた第２演出制御装置や遊技を制御する遊技制御装置が取り付けられている。なお、その他複数の機種で共通使用可能な制御装置（画像表示器１７５の表示を制御する表示制御装置をなす第１演出制御装置３３、排出発射制御装置、電源供給装置など）は前面枠本体１３０もしくは後述の裏機構枠１６０に取り付けられている。よって、遊技盤１を変更することにより機種に依存する装置（基板）のみが交換され、遊技機１００の遊技内容を変更することが可能である。
【００４７】
また、遊技盤１の裏面には後方へ突出する押圧部（図示略）が形成されている。この押圧部は、所定の前後幅を有しており、後端部が遊技盤１の裏面側に配される表示ユニット１７０の前面（前面クリアカバーの前面）に当接するようになっている。表示ユニット１７０は付勢部材としての圧縮コイルばねによって裏機構枠本体１６１に対して前側に付勢されており、押圧部により後方へ押圧されることで、遊技盤１と表示ユニット１７０が所定の間隔をおいて平行に配されるようになっている。なお、押圧部の前後幅は、上述したセンターケース２０の前後幅よりも若干広くされており、押圧部が表示ユニット１７０の前面に当接することで、センターケース２０の表示用窓部２１が画像表示面１７１に近接した位置に配されるようになっている。
【００４８】
図２から４に示すように裏機構枠１６０は裏機構枠本体１６１と、画像を表示する画像表示装置としての表示ユニット１７０を案内するガイド部１６２とを有し、表示ユニット１７０の他、表示ユニット１７０を制御する第１演出制御装置３３、賞球などを排出する排出装置（図示略）と排出装置に遊技球を供給する貯留タンク１９２が設けられている。
【００４９】
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。すなわち、裏機構枠１６０に表示ユニット１７０が配設されることで、表示ユニット１７０は該裏機構枠１６０を介して前面枠１２０側に配設された状態で遊技盤１の後方位置に配設されることとなる。
【００５０】
裏機構枠本体１６１は所定の厚みを有し、この裏機構枠本体１６１の前後面に種々の機構体が取り付けられている。裏機構枠本体１６１の裏面には、前方に窪んで後方に開口した略矩形状の凹部である第１演出制御装置配設部（図示略）が形成され、ここに第１演出制御装置３３が配設されている。この第１演出制御装置３３はＣＰＵなどを備えた演出制御基板を有し、画像表示装置をなす表示ユニット１７０における画像表示器１７５の表示を制御する表示制御装置をなすものである。
【００５１】
また、第１演出制御装置３３の上下幅は、第１演出制御装置配設部の上下幅よりも広く、第１演出制御装置配設部に第１演出制御装置３３を収容すると、図４に示すように、第１演出制御装置３３の下部が第１演出制御装置配設部の下方に形成された開口部１６３に延出するようになっている。そして、第１演出制御装置３３の前面側であって開口部１６３に延出する部分からはコネクタ部３３ａが外側に露出している。
【００５２】
遊技盤１の裏面には機種に依存するデータが記憶された演出データ基板、ドライバ基板を備える第２演出制御装置が取り付けられており、この第２演出制御装置の裏面にはコネクタ部が外部（後方）に露出している。そして、遊技盤１を開口部１３１に取り付けることで、この第２演出制御装置のコネクタ部と第１演出制御装置３３のコネクタ部３３ａは、互いに対向するように配され、第２演出制御装置と第１演出制御装置３３が直接接続できるようになっている。
【００５３】
裏機構枠本体１６１の上面には、遊技機１００が設置される図示しない島設備に設けられた供給装置から供給される遊技球を一時貯留し、排出装置に供給する貯留タンク１９２が取り付けられるようになっている。貯留タンク１９２の底面は、裏機構枠本体１６１の後方に向かって下るとともに、裏機構枠本体１６１の前面側から見て右方向に下る傾斜を有しており、この傾斜下流側に位置する貯留タンク１９２の底面には、貯留タンク１９２内の遊技球を外部に排出する排出口（図示略）が形成されている。
【００５４】
貯留タンク１９２の排出口は裏機構枠本体１６１の裏面に位置しており、裏機構枠本体１６１の裏面には、この排出口に連通した導出流路、排出装置が設けられている。また、排出装置の排出口に接続した下部流路１９７の下流側端部は、裏機構枠１６０の下端部にあって、発射操作ユニット１５０の前面に形成された上皿１５３に連通しており、排出装置から排出された所定数の遊技球が上皿１５３に排出されるようになっている。
【００５５】
裏機構枠本体１６１の前面には、表示ユニット１７０を前側に付勢する付勢部材としての圧縮コイルばねを収納する付勢部材収納部（図示略）や、裏機構枠本体１６１を補強するための補強リブが形成されている。また、裏機構枠本体１６１の前面の周囲には、上下の一部を除いて前側に延出する周囲壁１８７が形成されており、裏機構枠本体１６１の前面側は全体が凹部となっている。
【００５６】
また、図４に示すように裏機構枠本体１６１の前面側における左右端部の上部には、左右の周囲壁１８７に隣接して、所定の左右幅を有する下側に開口した溝状の凹部が形成されている。この所定の左右幅とは、後述する表示ユニット１７０の上部に形成された被案内部１７６の左右幅より若干広い幅であり、この部分が被案内部１７６を前後方向に案内する案内部１６９の一部をなす。また、上述した溝状の凹部と上下に対向するように、裏機構枠本体１６１の前面側における左右端部の下部には、左右の周囲壁１８７に隣接して、所定の左右幅を有する上側に開口した溝状の凹部が形成されている。この溝状の凹部の所定の左右幅は、後述する表示ユニット１７０の下部に形成された被案内部１７６の左右幅より若干広い幅であり、この部分も被案内部１７６を前後方向に案内する案内部１６９の一部をなす。
【００５７】
また、図３に示すように、裏機構枠本体１６１の前側には、それぞれコ字状のガイド部１６２，１６２が左右の側面を前側に延長するように取り付けられている。裏機構枠１６０の前面側から見て左側に設けられたガイド部１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられたガイド部１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定される。
【００５８】
そして、裏機構枠本体１６１（周囲壁１８７）、ガイド部１６２，１６２、貯留タンク１９２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、ガイド部１６２，１６２は裏機構枠本体１６１の左右端部の各々に設けられ、周囲壁１８７とともに表示ユニット収納部１６８の側面部をなす。
【００５９】
このようなガイド部１６２，１６２は、左右の周囲壁１８７，１８７から裏機構枠本体１６１の中央側へ向かう所定範囲と、裏機構枠本体１６１の前面側における左右端部の上下に形成された溝状の凹部の前側を覆うように取り付けられる。そして、裏機構枠本体１６１の上下に形成された溝状の凹部と対向するように配される部分には、裏機構枠本体１６１に形成された溝状の凹部…と同じ形状をした溝状の凹部が形成されている。
【００６０】
そして、ガイド部１６２，１６２を裏機構枠本体１６１に取り付けることによって、上下にそれぞれ対向するように、ガイド部１６２，１６２から裏機構枠本体１６１にかけて前後方向に沿って延在する溝状の凹部である案内部１６９，１６９，…が形成される。すなわち、裏機構枠本体１６１とその前側に配されたガイド部１６２，１６２により形成される表示ユニット収納部１６８における上下の内側面の左右に、表示ユニット１７０の上下の側部にそれぞれ設けられるとともに前記上下の側部の左端部及び右端部の合わせて４カ所から外側（上側もしくは下側）に突出する後述の被案内部１７６，１７６，…を前後に移動自在に案内する概略溝状の案内部１６９，１６９，…が設けられることとなる。
【００６１】
また、図４に示すように、この溝状の案内部１６９，１６９，…のうち、裏機構枠１６０の下側に形成された案内部１６９，１６９には、底面を形成する矩形板状のレール部材１６７が配されている。このレール部材１６７の表面は摩擦係数が低い材質（例えば、ポリアセタール、金属）からなり、案内部１６９の前後左右幅に等しい前後左右幅を有する。また、レール部材１６７は所定の厚みを有し、表示ユニット１７０の荷重がかかっても撓まない程度の強度を有する。このレール部材１６７によって、裏機構枠本体１６１とガイド部１６２によって形成される案内部１６９の底面に段差が生じることがなく、さらには、摩擦係数が低い材質からなることから、表示ユニット１７０を滑らかに移動させることが可能となる。
【００６２】
以上のように形成される表示ユニット収納部１６８には、画像表示面１７１が前側（開口した側）となるように表示ユニット１７０が配設されており、図２に示すように裏機構枠１６０を遊技盤１の裏面に臨むように配することで、遊技盤１の裏面側に表示ユニット１７０の画像表示面１７１が臨むようになっている。
【００６３】
また、図３に示すように、表示ユニット収納部１６８の上部であって、前面側から見て左側の端部には、表示ユニット収納部１６８にこもる熱を外部に放出するための放熱手段２００が設けられている。上述したように、裏機構枠１６０を前面枠本体１３０に対して閉鎖した状態で、前面枠本体１３０に遊技盤１を取り付けると、表示ユニット収納部１６８の周面を形成するガイド部１６２，１６２、貯留タンク１９２の前端が遊技盤１の裏面に近接して配されるようになっている。すなわち、表示ユニット収納部１６８の前側の開口は遊技盤１の裏面によって略閉鎖された状態となる。このように、略密閉された表示ユニット収納部１６８に、表示ユニット１７０などの電気的機器を収納すると、これらから発生する熱がこもり、様々な不具合を発生する原因となる。そこで、この表示ユニット収納部１６８にこもる熱を外部に放出する放熱手段２００を裏機構枠１６０に設けている。
【００６４】
放熱手段２００は、裏機構枠１６０の前面側から見て左側に取り付けられるガイド部１６２における、裏機構枠本体１６１の上部に沿って配される部分に設けられることで、表示ユニット収納部１６８の前面側から見た左上部に設けられるようになっている。すなわち、放熱手段２００は、表示ユニット１７０の上方に配されている。この放熱手段２００は、ファン２１０と、該ファン２１０を収納するファン収納部２２０とからなる換気装置２０１を備え、この換気装置２０１により表示ユニット収納部１６８内の換気を行い、熱を放出するものである。
【００６５】
ファン２１０は電子機器等に用いられる周知のファンであり、直方体形状の筐体２１１に、該筐体２１１の対向する一組の面を垂直に貫通する円筒形の空間２１２が形成され、該空間２１２内に図示しない駆動源（モータ）と風車が配されている。そして、駆動源により風車を回転駆動することで、円筒形の空間２１２の一端から他端へ風が送られるようになっている。
【００６６】
裏機構枠１６０の前面側から見て左側のガイド部１６２における、裏機構枠本体１６１の上部に沿って配される部分には、このファン２１０を収納するファン収納部２２０が形成されている。このファン収納部２２０は、直方体状の筐体２１１を有するファン２１０をちょうど収納できる大きさの空間で、後面側が開口しており、ここからファン２１０を挿入することで収納できるようになっている。また、ファン収納部２２０の上下には、収納されたファン２１０が抜け落ちない大きさの開口２２１，２２１が形成され、表示ユニット収納部１６８の内側と外側が連通するようになっており、ここに収納されるファン２１０による換気が可能とされている。すなわち、放熱手段２００は、ファン２１０により表示ユニット収納部１６８内の換気を行う換気装置２０１を備えている。
【００６７】
このように構成される換気装置２０１は、ファン２１０をガイド部１６２に形成されたファン収納部２２０に対して送風方向が上下方向に沿うように収納し、この状態でガイド部１６２を裏機構枠本体１６１に取り付ける。これにより、ファン収納部２２０の後方の開口が裏機構枠本体１６１により閉鎖され、ファン２１０がファン収納部２２０内に保持される。
【００６８】
また、ファン２１０の側面のうち、ガイド部１６２と接する前側の側面と、裏機構枠本体１６１と接する後側の側面には、薄いシート状のゴムやスポンジなどの弾性部材からなる振動防止部材（図示略）が設けられ、ファン２１０の駆動により発生する振動で裏機構枠１６０が振動することを防止している。これにより、表示ユニット収納部１６８に収納された表示ユニット１７０が振動して画像表示が見にくくなったり、騒音が発生したりすることを防止できる。また、放熱効果の高い高回転のファンを備えても振動による問題の発生が少ない。すなわち、放熱手段２００は、該放熱手段２００からの振動が裏機構枠１６０に伝達することによる裏機構枠１６０の振動を防止する振動防止部材を備えている。
【００６９】
以上のような構成を有する放熱手段２００は、表示ユニット収納部１６８の内部から外部へ（下から上へ）風を送るようにファン２１０を駆動することで表示ユニット収納部１６８内の熱を外部に放出するようになっている。放熱手段２００の上側の開口２２１は、遊技機１００の裏面側に露出しており、遊技機１００の外部へ排気できるようになっている。また、表示ユニット収納部１６８の下部は周囲壁１８７やガイド部１６２が無く、大きく開口しており、ここから外部の空気が流入するようになっている。これにより、表示ユニット収納部１６８内の換気が行われ、熱を外部に放出できるようになっている。
【００７０】
また、遊技盤１と表示ユニット収納部１６８の周面を形成するガイド部１６２，１６２、貯留タンク１９２の前端は、遊技盤１の裏面に近接して配されるようになっているので多少の隙間はあいており、ここを通じても換気が行われる。
【００７１】
なお、ファン２１０は常時駆動するようにしても良いし、温度センサを表示ユニット収納部１６８内に設け、所定の温度を超えた際に駆動するようにしても良い。また、換気装置２０１は、ファン２１０により表示ユニット収納部１６８内の空気を排気するものとしたが、逆に外部の空気を表示ユニット収納部１６８内に送り込むことで表示ユニット収納部１６８内の換気を行うものでも良い。
【００７２】
図５から８に示すように、表示ユニット１７０は、前面側が開口した矩形箱状に形成された金属製（例えば、アルミニウムやその合金製）のベース部材１７４と、この矩形箱状のベース部材１７４に収容された画像表示器１７５（液晶パネル１７５ｂ、バックライトを含む）と、画像表示器１７５を所定位置に固定する固定手段１７２と、を有する。さらに、ベース部材１７４の前面側は、透明な前面クリアカバー１７３で覆われている。
【００７３】
図６に示すように、ベース部材１７４は、矩形状の後壁１７４ａと、該後壁１７４ａの周囲を囲むように、後壁１７４ａに対して垂直に前方へ延出するように形成された側壁１７４ｂとを備え、前側に開口する矩形状の収容部１７４ｃを有する矩形箱状に形成されている。後壁１７４ａには、ベース部材１７４に収納される画像表示器１７５と、裏機構枠１６０の裏面側に配される第１演出制御装置３３とを接続する配線を通すための、前後に貫通した配線用開口１７４ｄが形成されている。この配線用開口１７４ｄは、画像表示器１７５の裏面側に設けられたコネクタ部の位置に対応して形成されており、画像表示器１７５をベース部材１７４に収納すると、この配線用開口１７４ｄからコネクタ部が露出するようになっている。
【００７４】
また、後壁１７４ａの裏面には、付勢部材としての圧縮コイルばねを取り付けるための取付部（図示略）が形成されており、この取付部に取り付けられた圧縮コイルばねが表示ユニット１７０と裏機構枠本体１６１の間に配されることにより、表示ユニット１７０が裏機構枠本体１６１に対して前方へ付勢された状態となる。
【００７５】
また、ベース部材１７４は、金属（導電性の材質）で構成されており、収容部に収容した画像表示器１７５から発生するノイズを遮蔽でき、裏機構枠などに設けられた他の装置への影響を防止するようになっている。さらに、後壁１７４ａには、壁面の一部を前方に折り曲げた接続部１７４ｅが形成されている。この接続部１７４ｅは、収容部１７４ｃに収容される画像表示器１７５の導電性の材質からなるケース部材１７５ａに接するようになっており、これによりベース部材１７４とケース部材１７５ａとが電気的に接続する。
【００７６】
ベース部材１７４の上下の側壁１７４ｂにおける左右端部は、左右の側壁１７４ｂから所定距離離れた位置にあり、収容部１７４ｃの四隅では側壁１７４ｂが切欠き状に途切れ、収容部１７４ｃと外部とが連通するように切欠部１７４ｆが形成されている。この切欠部１７４ｆには、後述するように、収容部１７４ｃに収容される固定手段１７２の四隅から突出する第１取付片１７２ｄが収容されるようになっている。また、この切欠部１７４ｆの外側には後壁１７４ａと平行に収容部１７４ｃの外側へ向かって延出する第３取付片１７４ｇが形成されている。
【００７７】
固定手段１７２は、矩形箱状のベース部材１７４の収容部１７４ｃにちょうど収まる大きさの矩形状の部材であり、中央部には画像表示器１７５をちょうど収容可能な大きさの画像表示器収容部１７２ａが形成され、枠状となっている。この固定手段１７２は、矩形板状で中央部に矩形状の貫通した開口を有する枠状の後壁１７２ｂと、該後壁１７２ｂの外周を囲むように、後壁１７２ｂに対して垂直に前方へ延出する外部周囲壁１７２ｃを有する。
【００７８】
この外部周囲壁１７２ｃのうち、上下に位置する外部周囲壁１７２ｃにおける左右端部には、外側（上側若しくは下側）へ向かって延出する第１取付片１７２ｄが形成されている。この第１取付片１７２ｄは、固定手段１７２を収容部１７４ｃに収容した状態で、ベース部材１７４に形成された切欠部１７４ｆに収容されるとともに、収容部１７４ｃの外側へ延出するように配され、ベース部材１７４に形成された第３取付片１７４ｇの前側にちょうど重なるようになっている。
【００７９】
また、固定手段１７２は、後壁１７２ｂの中央部に形成された開口の外周を囲むように、後壁１７２ｂに対して垂直に前方へ延出する内部周囲壁１７２ｅを有し、画像表示器１７５を収容する画像表示器収容部１７２ａが形成される。そして、この画像表示器収容部１７２ａを形成する内部周囲壁１７２ｅの裏面には、該画像表示器収容部１７２ａに収容される画像表示器１７５を固定するためのねじ止め部１７２ｆが形成されている。また、後壁１７２ｂの前面であって、外部周囲壁１７２ｃと内部周囲壁１７２ｅの間には、複数の補強リブ１７２ｇが形成されている。なお、固定手段１７２における画像表示器収容部１７２ａの位置、大きさは、遊技盤１に設けられたセンターケース２０の表示用窓部２１の位置、大きさに合わせて形成されるようになっている。すなわち、固定手段１７２は遊技盤１に合わせて作成されるようになっている。
【００８０】
画像表示器１７５は、ベース部材１７４の収容部１７４ｃよりも小さい矩形板状であって固定手段１７２の画像表示器収容部１７２ａに収容されて固定されるようになっている。この画像表示器１７５は、外周面を形成するケース部材１７５ａに、液晶パネル１７５ｂとバックライトなどが収容された構成を有している。
【００８１】
ケース部材１７５ａは、導電性を有する材質（例えば金属）からなる略矩形箱状をしており、内部に液晶パネル１７５ｂやバックライトを収容する空間を有する。このケース部材１７５ａの前面側における前面は、周縁を除いて内部の空間と連通する窓部１７５ｃが形成されており、内部に収容された液晶パネル１７５ｂの画像表示面１７１がここから外部に露出するようになっている。また、ケース部材１７５ａの左右側部の後端部には、側方へ延出するように固定片１７５ｄが形成されている。この固定片１７５ｄにはねじ孔が形成されており、画像表示器１７５を固定手段１７２の画像表示器収容部１７２ａに収容した状態で、固定手段１７２の内部周囲壁１７２ｅの裏面に形成されたねじ止め部１７２ｆの後方にねじ孔が位置するようになっている。そして、後方からねじ孔に挿通したねじをねじ止め部１７２ｆに螺合することで、画像表示器１７５が画像表示器収容部１７２ａに固定されるようになっている。また、ケース部材１７５ａの裏面（図示略）には、内部に収容された液晶パネル１７５ｂやバックライトのコネクタを外部に露出させる開口などが形成されている。
【００８２】
液晶パネル１７５ｂの画像表示面１７１は、少なくとも遊技盤１に設けられたセンターケース２０に形成された表示用窓部２１を裏面側から覆うことのできるように配されている。そして、画像表示器１７５は、センターケース２０の表示用窓部２１から露出する領域に所定の画像が表示されるように第１演出制御装置３３によって制御される。この画像表示領域を決定する遊技盤１のセンターケース２０の表示用窓部２１の大きさや位置に関する初期情報や、変動表示ゲームの画像に関する情報は遊技盤１に配される第２演出制御装置の演出データ基板に記憶されている。なお、画像表示器１７５は、固定手段１７２を交換することで表示ユニット１７０内における位置を変更可能であり、表示用窓部２１の位置に対応して配設可能となっている。また、固定手段１７２を交換することで異なる画像表示器１７５、すなわち、画像表示面１７１の面積、形状の異なるものや、画像表示面１７１の面積は同じでもケース部材１７５ａの形状が異なるもの（例えば異なるメーカ製のもの）に交換可能である。
【００８３】
画像表示器１７５の前面であって、窓部１７５ｃの周囲となるケース部材１７５ａの前面には、窓部１７５ｃを囲むように接続部材１７７が配されている。この接続部材１７７は、略四角柱状の弾性部材としてのウレタンフォームの周囲を被覆部材としての導電性繊維で被覆したもので、一般的にガスケットとして使用されるものである。この接続部材１７７は、被覆部材で被覆された一側面が、導電性の材質からなるケース部材１７５ａに導電性の両面テープによって貼り付けられることで取り付けられている。すなわち、接続部材１７７とケース部材１７５ａとは、電気的に接続した状態となっている。また、窓部１７５ｃの上側の位置では接続部材１７７が途切れた部分が２ヶ所設けられている。このうち一方は、表示ユニット１７０を裏機構枠１６０に配した際に、放熱手段２００の下方となる位置に設けられている。
【００８４】
前面クリアカバー１７３は透明な材質からなる矩形板状の部材で、収容部１７４ｃの前側の開口と略同じ大きさを有する。この前面クリアカバー１７３の四隅には、該前面クリアカバー１７３を表示ユニット１７０の最前部に取り付けるための前面クリアカバー固定部材１７８が取り付けられており、これによって前面クリアカバー１７３が画像表示面１７１を視認可能な状態で収容部１７４ｃの前側の開口を閉鎖するように取り付けられる。
【００８５】
前面クリアカバー固定部材１７８は、角部の周囲を覆うＬ字型をした側壁１７８ａと、前面クリアカバー１７３の前面側に配される前面壁１７８ｂと、後面側に配される後面壁１７８ｃとを有している。そして前面壁１７８ｂと後面壁１７８ｃとの前後方向の間隔が、前面クリアカバー１７３の厚みよりやや狭くされ、この前面壁１７８ｂと後面壁１７８ｃとの間に前面クリアカバー１７３を挟むことで、前面クリアカバー１７３に対して取り付けられるようになっている。また、前面クリアカバー固定部材１７８の側壁１７８ａには、第２取付片１７８ｄが外側へ向かって延出するように形成されており、前面クリアカバー固定部材１７８は、この第２取付片１７８ｄが前面クリアカバー１７３の上下に延出するような向きで取り付けられるようになっている。
【００８６】
前面クリアカバー１７３は、収容部１７４ｃの前側に取り付けられた状態において、その裏面に画像表示器１７５の前面に取り付けられた接続部材１７７の前端が接続するようになっている。この前面クリアカバー１７３は透明であるとともに導電性を有する材質からなり、接続部材１７７が裏面に接することで前面クリアカバー１７３と画像表示器１７５とが電気的に接続されることとなる。また、上述したように、接続部材１７７は弾性を有する部材であるので、前面クリアカバー１７３の裏面に密着するとともに十分な接触面積を確保でき、前面クリアカバー１７３と画像表示器１７５は確実に電気的に接続される。これにより、前面クリアカバー１７３の静電気を除去でき、前面クリアカバー１７３が画像表示面１７１に張り付いたり、埃等で汚れてしまったりすることを防止できる。なお、上述したように、画像表示器１７５とベース部材１７４も電気的に接続しており、ベース部材１７４を外部のアースに接続するようにしても良い。
【００８７】
また、図７（ｂ）に示すように、前面クリアカバー１７３と画像表示器１７５との間には、接続部材１７７で囲まれた空隙１７９が形成されるようになっている。これにより、前面クリアカバー１７３とケース部材１７５ａや画像表示面１７１との間に一定の間隔を確保でき、前面クリアカバー１７３が熱により変形したり、ケース部材１７５ａや画像表示面１７１に張り付いたりすることがなく、表示画像が歪むことを防止できる。また、画像表示器１７５の交換時に支障が出ることがない。さらに、接続部材１７７は窓部１７５ｃの上側の位置で一部途切れた部分が２ヶ所設けられており、図７（ａ）に示すように、空隙１７９に連通する連通部１７９ａが形成される。このうち一方の連通部１７９ａは、表示ユニット１７０を裏機構枠１６０に配した際に、放熱手段２００の下方となる位置に配される。これにより、空隙１７９の換気を効率よく行うことができる。すなわち、ファン２１０により生じる風により、一方の連通部１７９ａから他方の連通部１７９ａへ空気が効率よく流れ、空隙１７９内にこもる熱を効率よく排出できる。また、連通部１７９ａを窓部１７５ｃの上側に設けたので、遊技機１００の下方に溜まった埃などがファン２１０の風で舞い上がって空隙１７９に入ってしまい画像表示面１７１の視認性が低下することを防止できる。
【００８８】
以上のことから、遊技領域１ａを有する遊技盤１を前面枠に着脱自在に装着した遊技機１００において、遊技盤１の後方位置であって前面枠１２０の裏面に、表示ゲームを表示するための表示ユニット１７０を配設した裏機構枠１６０を設け、表示ユニット１７０は、当該表示ユニット１７０を裏機構枠１６０に配設するためのベース部材１７４と、表示ゲームを表示する画像表示面１７１を有し、ベース部材１７４の遊技盤１と対向する前面側に形成された収容部１７４ｃに着脱可能に取り付けられた画像表示器１７５と、収容部１７４ｃよりも小さい画像表示器１７５を収容部１７４ｃの適正位置に固定するための固定手段１７２と、を備えたこととなる。
【００８９】
また、画像表示器１７５は、当該画像表示器１７５の外周面を形成するケース部材１７５ａと、ケース部材１７５ａに収容され、画像表示面１７１を有する液晶パネルと、を備え、ケース部材１７５ａの一側面に形成された窓部１７５ｃから、液晶パネル１７５ｂの画像表示面１７１が外部に露出するように構成され、前面クリアカバー１７３及びケース部材１７５ａを導電性の材質で構成するとともに前面クリアカバー１７３とケース部材１７５ａとの間に導電性を有する接続部材１７７を配設して、前面クリアカバー１７３とケース部材１７５ａとを接続部材１７７を介して電気的に接続するようにしたこととなる。
【００９０】
また、裏機構枠１６０は、前側に開口した凹室状の表示ユニット収納部１６８を備え、該表示ユニット収納部１６８に表示ユニット１７０を収納することで、前面枠１２０における遊技盤１の後方位置であって該遊技盤１と所定間隔を設けた状態で表示ユニット１７０を配設可能とし、裏機構枠１６０における表示ユニット収納部１６８の上部に、ファン２１０により表示ユニット収納部１６８内の換気を行う換気装置２０１により表示ユニット収納部１６８の内部の熱を外部に放出する放熱手段２００を設け、表示ユニット１７０は、接続部材１７７が窓部１７５ｃの周縁に沿って配設されて前面クリアカバー１７３と画像表示器１７５の間に空隙１７９が形成され、窓部１７３ｃの上側の位置に、空隙１７９と外部とが連通する連通部１７９ａを少なくとも２ヶ所形成し、該連通部１７９ａの一つがファン２１０の下方に位置するようにしたこととなる。
【００９１】
以上のような構成を有する表示ユニット１７０は、画像表示器収容部１７２ａに画像表示器１７５が固定された固定手段１７２が、画像表示面１７１が前方を向くようにベース部材１７４の収容部１７４ｃに収容され、前面クリアカバー１７３が収容部１７４ｃを閉鎖するように前側から配設されている。これにより、表示ユニット１７０の上下の側部であって、左端部及び右端部の合わせて４ヶ所において、図８，９に示すように、固定手段１７２の第１取付片１７２ｄの後側にベース部材１７４の第３取付片１７４ｇがちょうど重なり、さらに固定手段１７２の第１取付片１７２ｄの前側に前面クリアカバー固定部材１７８の第２取付片１７８ｄがちょうど重なるように配される。この重なった状態の第１取付片１７２ｄ、第２取付片１７８ｄ、第３取付片１７４ｇには、前後に貫通するねじ穴１７６ｄが形成されており、保持部材１７６ａ、１７６ｂ、１７６ｃをねじによって固定できるようになっている。そして、保持部材１７６ａ、１７６ｂ、１７６ｃを取り付けることによって第１取付片１７２ｄ、第２取付片１７８ｄ、第３取付片１７４ｇが重なった状態で保持されて各部材が組み付けられる。
【００９２】
図８に示すように、表示ユニット１７０の上部側面に取り付けられる保持部材１７６ａは、表示ユニット１７０の上部側面と対向する下部側面に、重なった状態の第１取付片１７２ｄ、第２取付片１７８ｄ、第３取付片１７４ｇを挿入可能な挿入部が形成されている。また、保持部材１７６ａの後面には、挿入部に貫通する図示しないねじ穴が形成され、さらに、挿入部内において、このねじ穴と対向する部分には、ねじ止め部が形成されている。この保持部材１７６ａに形成されたねじ穴、ねじ止め部は、挿入部に挿入した重なった状態の第１取付片１７２ｄ、第２取付片１７８ｄ、第３取付片１７４ｇのねじ穴１７６ｄとちょうど対応する位置に形成されている。すなわち、挿入部に重なった状態の第１取付片１７２ｄ、第２取付片１７８ｄ、第３取付片１７４ｇを挿入した状態で保持部材１７６ａの裏面側からねじ穴にねじを挿通し、挿入部内に形成されたねじ止め部に螺合することで、表示ユニット１７０の上部側面に保持部材１７６ａが固定され、第１取付片１７２ｄ、第２取付片１７８ｄ、第３取付片１７４ｇが重なった状態で保持される。
【００９３】
また、図９に示すように、表示ユニット１７０の下部側面に設けられた保持部材１７６ｂ、１７６ｃは、前方部１７６ｂと後方部１７６ｃの前後二つの部材からなり、この前方部１７６ｂと後方部１７６ｃとの間に重なった状態の第１取付片１７２ｄ、第２取付片１７８ｄ、第３取付片１７４ｇを挿入可能な挿入部１７６ｅが形成されている。また、後方部１７６ｃにおける後面には、挿入部に貫通するねじ穴１７６ｆが形成され、さらに、前方部１７６ｂにおいて、このねじ穴１７６ｆと対向する部分には、ねじ止め部が形成されている。この後方部１７６ｃに形成されたねじ穴１７６ｆ、前方部１７６ｂに形成されたねじ止め部は、挿入部１７６ｅに挿入した重なった状態の第１取付片１７２ｄ、第２取付片１７８ｄ、第３取付片１７４ｇのねじ穴１７６ｄとちょうど対応する位置に形成されている。すなわち、挿入部１７６ｅに重なった状態の第１取付片１７２ｄ、第２取付片１７８ｄ、第３取付片１７４ｇを挿入した状態で後方部１７６ｃの裏面側からねじ穴１７６ｆにねじを挿通し、前方部１７６ｂに形成されたねじ止め部に螺合することで、表示ユニット１７０の下部側面に保持部材１７６ｂ、１７６ｃが固定され、第１取付片１７２ｄ、第２取付片１７８ｄ、第３取付片１７４ｇが重なった状態で保持される。また、この保持部材１７６ｂ、１７６ｃの下部には、滑動体として左右方向に沿った回転軸を有するローラ１７６ｇが配されている。
【００９４】
また、図３，４に示すように、表示ユニット１７０の四隅に取り付けられた保持部材１７６ａ、１７６ｂ、１７６ｃは、表示ユニット収納部１６８に形成された、前後に延在する溝状の案内部１６９，１６９，…内において前後動自在に支持されるようになっており、これによって表示ユニット１７０が表示ユニット収納部１６８内において安定して前後動自在に配されることとなる。すなわち、第１取付片１７２ｄ、第２取付片１７８ｄ、第３取付片１７４ｇを重ねた状態で保持する保持部材１７６ａ、１７６ｂ、１７６ｃが裏機構枠１６０に支持されることとなり、この保持部材１７６ａ、１７６ｂ、１７６ｃが案内部１６９，１６９，…内において前後動自在に支持される被案内部１７６となる。
【００９５】
このため、保持部材１７６ａ、１７６ｂ、１７６ｃは摩擦係数の低い材質（例えば、ポリアセタール、金属）で構成され、案内部１６９，１６９，…との間の摩擦抵抗を軽減するようになっている。また、表示ユニット１７０の下側側面に配される保持部材１７６ｂ、１７６ｃの下部にはローラ１７６ｇを設け、下側の案内部１６９，１６９との摩擦抵抗を軽減し、さらに、このローラ１７６ｇが接する下側の案内部１６９，１６９の底面には平滑なレール部材１６７を配設し、ローラ１７６ｇが円滑に移動するようにしている。これにより、被案内部１７６，１７６，…と案内部１６９，１６９，…との間の摩擦抵抗が軽減され、表示ユニット１７０が表示ユニット収納部１６８内で円滑に前後移動可能となる。
【００９６】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部１６９，１６９，…内に被案内部１７６，１７６，…が収納された状態となっているので、表示ユニット１７０が非平行状態になっても被案内部１７６，１７６，…が案内部１６９，１６９，…から脱落することがない。
【００９７】
以上のことから、表示ユニット１７０は、画像表示器１７５の前側を覆う透明な前面クリアカバー１７３を備え、該前面クリアカバー１７３を透して画像表示面１７１の表示を視認可能に構成され、固定手段１７２の外周部の四隅に第１取付片１７２ｄを形成し、前面クリアカバー１７３の外周部の四隅に、第１取付片１７２ｄの前側に重なる第２取付片１７８ｄを有する前面クリアカバー固定部材１７８を配するとともに、ベース部材１７４の外周部の四隅に、第１取付片１７２ｄの後側に重なる第３取付片１７４ｇを形成し、各隅部に、第１取付片１７２ｄ、第２取付片１７８ｄ及び第３取付片１７４ｇを重ねた状態で保持する保持部材１７６ａ、１７６ｂ、１７６ｃを備えるとともに、保持部材１７６ａ、１７６ｂ、１７６ｃが裏機構枠１６０に支持されるようにしたこととなる。
【００９８】
また、以上のように保持部材１７６ａ、１７６ｂ、１７６ｃにより組みつけられた表示ユニット１７０は、保持部材１７６ａ、１７６ｂ、１７６ｃを取り外すことで容易に分解することができ、遊技盤１の交換に合わせて画像表示器１７５の位置や大きさを変更できる。そして、新たな遊技盤１に設けられたセンターケース２０の表示用窓部２１の大きさが、現在使用している画像表示器１７５の大きさで十分である場合であって位置が異なる場合は、対応する位置に画像表示器収容部１７２ａが形成された固定手段１７２に交換することで対応できる。これにより、遊技盤１を交換する際に、固定手段１７２だけを交換すれば画像表示器１７５を再利用でき、遊技盤１の交換にかかるコストを削減できる。また、新たな遊技盤１に設けられたセンターケース２０の表示用窓部２１の大きさが、現在使用している画像表示器１７５の大きさよりも大きい場合は、固定手段１７２及び画像表示器１７５を交換することとなるが、その他の部分は再利用でき、遊技盤１の交換にかかるコストを削減できる。
【００９９】
さらに、上述した表示ユニット１７０においては、図１１，１２に示すように、固定手段１７２を用いずにベース部材１７４の収容部１７４ｃにちょうど収まる大きさの画像表示器２３０を用いることも可能である。ベース部材１７４は、遊技盤１の裏面の大部分を覆うことのできる大きさに形成されており、ベース部材１７４の収容部１７４ｃにちょうど収まる大きさの画像表示器２３０を用いることで、遊技盤本体１ｂが透明な合成樹脂で形成され、遊技盤１を透して画像表示面１７１の画像を視認可能な遊技盤４０（いわゆる全面液晶の遊技盤）を用いることもできる。
【０１００】
図１０には、このような遊技盤４０を取り付けた遊技機１００を示した。なお、上述の遊技盤１と同様の構成に付いては同じ符号を付して説明を省略する。この遊技盤４０は、遊技盤本体１ｂが透明な合成樹脂（例えば、ポリカーボネートやアクリル）からなり、前面には、遊技領域区画壁２で囲まれた第１遊技領域１ａを有し、この第１遊技領域１ａ内に発射装置（図示略）から遊技球（打球；遊技媒体）を発射して遊技を行うようになっている。
【０１０１】
遊技盤本体１ｂの前面側には、第１遊技領域１ａを区画する遊技領域区画壁２を備える前面構成部材３，３，…が取り付けられている。この前面構成部材３，３，…は不透明な材質からなり、第１遊技領域１ａ以外から遊技機１００の内部が見えないようになっている。
【０１０２】
また、遊技盤４０を構成する遊技盤本体１ｂの前面側に形成された第１遊技領域１ａ内には、遊技盤４０の装飾や遊技球を流下案内する遊技装置として、普図始動ゲート４、第１始動入賞口１３（入賞装置）と、第２始動入賞口をなす普通変動入賞装置７（入賞装置）、特別変動入賞装置１０が設けられている。さらに遊技装置として、一般入賞口１２，１２，…、風車１４，１４、多数の障害釘（図示略）、流下方向規制装置１７、入賞口などに入賞しなかった遊技球を回収するアウト穴１１、ランプ・ＬＥＤなどの遊技盤装飾装置などが設けられている。また、遊技盤本体１ｂの裏面側には、遊技球が流下可能な第２遊技領域１ｃが設けられ、第１遊技領域１ａには遊技装置として、この第２遊技領域１ｃへの導入口をなすワープ入口１７ａ，１７ａ、第２遊技領域１ｃからの導出口１５が設けられている。
【０１０３】
図１１，１２に示すように、このような遊技盤４０に対応する、ベース部材１７４の収容部１７４ｃにちょうど収まる大きさの画像表示器２３０には、該画像表示器２３０の外周面を構成するケース部材２３１における上側及び下側の側面の左右端部に、固定手段１７２に形成されていた第１取付片１７２ｄと同様の第１取付片２３２が形成されている。この第１取付片２３２は、画像表示器２３０を収容部１７４ｃに収容することで、ベース部材１７４に形成された切欠部１７４ｆに収容されるとともに、収容部１７４ｃの外側へ延出するように配され、ベース部材１７４に形成された第３取付片１７４ｇの前側にちょうど重なるようになっている。
【０１０４】
また、画像表示器２３０が収容部１７４ｃにちょうど収まる大きさであるので、ケース部材２３１の前面における上下左右の角部の前側には、前面クリアカバー１７３を固定するための前面クリアカバー固定部材１７８が位置することとなる。よって、画像表示器２３０の前面であって、窓部２３３の周囲となるケース部材２３１の前面に配される接続部材１７７は、前面クリアカバー固定部材１７８と前後に重なる角部で途切れた状態となっている。また、固定手段１７２を用いた場合と同様に、窓部２３３の上側の位置では接続部材１７７が途切れ、連通部１７９ａを形成する部分が２ヶ所設けられている。このうち一方は、表示ユニット１７０を裏機構枠１６０に配した際に、放熱手段２００の下方となる位置に設けられている。
【０１０５】
このような遊技盤４０、画像表示器２３０を用いることで、遊技盤４０の前面構成部材３，３，…で囲まれた第１遊技領域１ａのうち、上下の一部を除く領域において、透明な材質からなる遊技盤本体１ｂを透して画像表示面１７１の画像を視認可能となる。
【０１０６】
以上のことから、固定手段１７２は、収容部１７４ｃにちょうど収まる形状を有するとともに、画像表示器１７５を収容可能な画像表示器収容部１７２ａを備える枠状に形成され、表示ユニット１７０は、収容部１７４ｃよりも小さい画像表示器１７５を画像表示器収容部１７２ａに収容した固定手段１７２若しくは収容部１７４ｃにちょうど収まる大きさの画像表示器２３０を収容部１７４ｃに配設可能であることとなる。
【０１０７】
なお、固定手段１７２は、中央部に画像表示器収容部１７２ａを備える枠状としたが、画像表示器収容部１７２ａが収容部１７４ｃの内壁に隣接する場合は、Ｌ字状、Ｕ字状としても良い。また、固定手段１７２は、収容部１７４ｃ内の所定位置に画像表示器１７５を固定できるものであれば良く、上述したような構成に限られるものではない。また、接続部材１７７は、略四角柱状の弾性部材としてのウレタンフォームの周囲を被覆部材としての導電性繊維で被覆したもので、一般的にガスケットとして使用されるものを用いるとしたが、導電性の材質からなり、画像表示面１７１の前方に空隙１７９を形成可能な所定の厚みを有するものであれば良い。
【０１０８】
以上のような遊技機１００は、遊技領域１ａを有する遊技盤１を前面枠に着脱自在に装着した遊技機１００であって、遊技盤１の後方位置であって前面枠１２０の裏面に、表示ゲームを表示するための表示ユニット１７０を配設した裏機構枠１６０を設け、表示ユニット１７０は、当該表示ユニット１７０を裏機構枠１６０に配設するためのベース部材１７４と、表示ゲームを表示する画像表示面１７１を有し、ベース部材１７４の遊技盤１と対向する前面側に形成された収容部１７４ｃに着脱可能に取り付けられた画像表示器１７５と、収容部１７４ｃよりも小さい画像表示器１７５を収容部１７４ｃの適正位置に固定するための固定手段１７２と、を備えている。
【０１０９】
したがって、表示ユニット１７０は、当該表示ユニット１７０を裏機構枠１６０に配設するためのベース部材１７４と、表示ゲームを表示する画像表示面１７１を有し、ベース部材１７４の遊技盤１と対向する前面側に形成された収容部１７４ｃに着脱可能に取り付けられた画像表示器１７５と、収容部１７４ｃよりも小さい画像表示器１７５を収容部１７４ｃの適正位置に固定するための固定手段１７２と、を備えるので、画像表示器１７５の画面サイズや形状、配置位置の変更が容易になる。すなわち、固定手段１７２を交換すれば画像表示器１７５を再利用でき、さらに、遊技盤１に形成された表示用の開口部（表示用窓部２１）に対応した位置に、該開口部に対応した大きさの画像表示器１７５を配設することができるので必要最低限の大きさの画像表示器１７５で足り、遊技機１００のコストを低減することができる。
【０１１０】
また、固定手段１７２は、収容部１７４ｃにちょうど収まる形状を有するとともに、画像表示器１７５を収容可能な画像表示器収容部１７２ａを備える枠状に形成され、表示ユニット１７０は、収容部１７４ｃよりも小さい画像表示器１７５を画像表示器収容部１７２ａに収容した固定手段１７２若しくは収容部１７４ｃにちょうど収まる大きさの画像表示器２３０を収容部１７４ｃに配設可能である。
【０１１１】
したがって、表示ユニット１７０は、収容部１７４ｃよりも小さい画像表示器１７５を画像表示器収容部１７２ａに収容した固定手段１７２若しくは収容部１７４ｃにちょうど収まる大きさの画像表示器１７５を収容部１７４ｃに配設可能であるので、固定手段１７２の交換若しくは不使用により多種の遊技機に対応できる。例えば、不透明な遊技盤１の一部に表示用の開口部（表示用窓部２１）を形成したものには、該開口部に対応した大きさの画像表示器１７５を用い、透明合成樹脂製の遊技盤１を用いて遊技盤裏面全体に画像を表示するようにしたものには、大型の画像表示器２３０を用いるようにすることができ、不必要に大きな画像表示器を用いることがないので遊技機１００のコストを低減することができる。
【０１１２】
また、表示ユニット１７０は、画像表示器１７５の前側を覆う透明な前面クリアカバー１７３を備え、該前面クリアカバー１７３を透して画像表示面１７１の表示を視認可能に構成され、固定手段１７２の外周部の四隅に第１取付片１７２ｄを形成し、前面クリアカバー１７３の外周部の四隅に、第１取付片１７２ｄの前側に重なる第２取付片１７８ｄを有する前面クリアカバー固定部材１７８を配するとともに、ベース部材１７４の外周部の四隅に、第１取付片１７２ｄの後側に重なる第３取付片１７４ｇを形成し、各隅部に、第１取付片１７２ｄ、第２取付片１７８ｄ及び第３取付片１７４ｇを重ねた状態で保持する保持部材１７６ａ、１７６ｂ、１７６ｃを備えるとともに、保持部材１７６ａ、１７６ｂ、１７６ｃが裏機構枠１６０に支持されるようにしている。
【０１１３】
したがって、各隅部に、第１取付片１７２ｄ、第２取付片１７８ｄ及び第３取付片１７４ｇを重ねた状態で保持する保持部材１７６ａ、１７６ｂ、１７６ｃを備えるので、保持部材１７６ａ、１７６ｂ、１７６ｃを取り外すことで画像表示器１７５や固定手段１７２を簡単に交換でき、作業の効率が向上する。また、四隅に設けた保持部材１７６ａ、１７６ｂ、１７６ｃが裏機構枠１６０に支持されるようにしたので、表示ユニット１７０が裏機構枠１６０に安定して支持されるようになる。
【０１１４】
また、ベース部材１７４を導電性の材質で構成している。
【０１１５】
したがって、ベース部材１７４を導電性の材質で構成したので、画像表示器１７５から発生するノイズを遮蔽でき、遊技機１００に設けられた他の装置に影響することがない。また、例えば、導電性の材質として、アルミニウムやその合金を用いれば、表示ユニットの強度向上及び軽量化を図れる。
【０１１６】
また、画像表示器１７５は、当該画像表示器１７５の外周面を形成するケース部材１７５ａと、ケース部材１７５ａに収容され、画像表示面１７１を有する液晶パネルと、を備え、ケース部材１７５ａの一側面に形成された窓部１７５ｃから、液晶パネル１７５ｂの画像表示面１７１が外部に露出するように構成され、前面クリアカバー１７３及びケース部材１７５ａを導電性の材質で構成するとともに前面クリアカバー１７３とケース部材１７５ａとの間に導電性を有する接続部材１７７を配設して、前面クリアカバー１７３とケース部材１７５ａとを接続部材１７７を介して電気的に接続するようにしている。
【０１１７】
したがって、前面クリアカバー１７３とケース部材１７５ａとの間に導電性を有する接続部材１７７を配設したので、前面クリアカバー１７３とケース部材１７５ａや画像表示面１７１との間に一定の間隔を確保でき、前面クリアカバー１７３が熱により変形したり、ケース部材１７５ａや画像表示面１７１に張り付いたりすることがなく、表示画像が歪むことを防止できる。また、交換時に支障が出ることがない。また、前面クリアカバー１７３及びケース部材１７５ａを導電性の材質で構成するとともに前面クリアカバー１７３とケース部材１７５ａとの間に導電性を有する接続部材１７７を配設して、前面クリアカバー１７３とケース部材１７５ａとを接続部材１７７を介して電気的に接続するようにしたので、前面クリアカバー１７３の静電気を除去でき、前面クリアカバー１７３が画像表示面１７１に張り付いたり、埃等で汚れてしまったりすることを防止できる。
【０１１８】
また、裏機構枠１６０は、前側に開口した凹室状の表示ユニット収納部１６８を備え、該表示ユニット収納部１６８に表示ユニット１７０を収納することで、前面枠１２０における遊技盤１の後方位置であって該遊技盤１と所定間隔を設けた状態で表示ユニット１７０を配設可能とし、裏機構枠１６０における表示ユニット収納部１６８の上部に、ファン２１０により表示ユニット収納部１６８内の換気を行う換気装置２０１により表示ユニット収納部１６８の内部の熱を外部に放出する放熱手段２００を設け、表示ユニット１７０は、接続部材１７７が窓部１７５ｃの周縁に沿って配設されて前面クリアカバー１７３と画像表示器１７５の間に空隙１７９が形成され、窓部１７３ｃの上側の位置に、空隙１７９と外部とが連通する連通部１７９ａを少なくとも２ヶ所形成し、該連通部１７９ａの一つがファン２１０の下方に位置するようにしている。
【０１１９】
したがって、表示ユニット１７０は、接続部材１７７が窓部１７５ｃの周縁に沿って配設されて前面クリアカバー１７３と画像表示器１７５の間に空隙１７９が形成され、窓部１７５ｃの上側の位置に、空隙１７９と外部とが連通する連通部１７９ａを少なくとも２ヶ所形成し、該連通部１７９ａの一つがファン２１０の下方に位置するようにしたので、空隙１７９の換気を効率よく行うことができる。すなわち、ファン２１０により生じる風により、一方の連通部１７９ａから他方の連通部１７９ａへ空気が効率よく流れ、空隙１７９内にこもる熱を効率よく排出できるので、前面クリアカバー１７３が熱により変形したり、ケース部材１７５ａや画像表示面１７１に張り付いたりすることがなく、画像表示器１７５の交換時に支障が出ることがない。また、連通部１７９ａを窓部１７５ｃの上側に設けたので、遊技機１００の下方に溜まった埃などがファン２１０の風で舞い上がって空隙１７９に入ってしまい画像表示面１７１の視認性が低下することを防止できる。
【０１２０】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１２１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２２】
【図１】本発明を適用した一実施の形態の構成を示す遊技機の正面図である。
【図２】遊技盤を取り外した遊技機の前面側から見た斜視図であって、透明部材保持枠を開放した様子を示す図である。
【図３】裏機構枠の前面下側から見た斜視図である。
【図４】裏機構枠の斜視図であってガイド部を取り外した状態の図である。
【図５】表示ユニットの正面図である。
【図６】表示ユニットの前面側から見た分解斜視図である。
【図７】（ａ）図５に示すＡ−Ａ断面の断面図、（ｂ）図５に示すＢ−Ｂ断面の断面図である。
【図８】表示ユニットの右上部を示す分解斜視図であって、保持部材を取り外した状態を示す図である。
【図９】表示ユニットの右下部を示す分解斜視図であって、保持部材を取り外した状態を示す図である。
【図１０】透明な遊技盤を取り付けた遊技機の正面図であって、透明部材保持枠を取り外した状態を示す図である。
【図１１】大型の液晶パネルを取り付けた表示ユニットの正面図である。
【図１２】大型の液晶パネルを取り付けた表示ユニットの前面側から見た分解斜視図である。
【符号の説明】
【０１２３】
１        遊技盤
１ａ      遊技領域
１００    遊技機
１２０    前面枠
１６０    裏機構枠
１６８    表示ユニット収納部
１７０    表示ユニット
１７１    画像表示面
１７２    固定手段
１７２ａ  画像表示器収容部
１７２ｄ  第１取付片
１７３    前面クリアカバー
１７４    ベース部材
１７４ｃ  収容部
１７４ｇ  第３取付片
１７５    画像表示器
１７５ａ  ケース部材
１７５ｂ  液晶パネル
１７５ｃ  窓部
１７６ａ  保持部材
１７６ｂ  保持部材
１７６ｃ  保持部材
１７７    接続部材
１７８    前面クリアカバー固定部材
１７８ｄ  第２取付片
１７９    空隙
１７９ａ  連通部
２００    放熱手段
２０１    換気装置
２１０    ファン
２３０    画像表示器
【図１】
0004787800.tif 000002
【図２】
0004787800.tif 000003
【図３】
0004787800.tif 000004
【図４】
0004787800.tif 000005
【図５】
0004787800.tif 000006
【図６】
0004787800.tif 000007
【図７】
0004787800.tif 000008
【図８】
0004787800.tif 000009
【図９】
0004787800.tif 000010
【図１０】
0004787800.tif 000011
【図１１】
0004787800.tif 000012
【図１２】
0004787800.tif 000013